(57)【要約】【課題】アウトスライド扉のシール構造に関し、外観を向上させると共に、騒音の発生を効果的に抑止する。【解決手段】車両側面に配置され、開扉時は扉本体１１を車両幅方向及び車両前後方向に移動させると共に、閉扉時は扉本体１１を車両前後方向及び車両幅方向に移動させるアウトスライド扉のシール構造において、扉本体１１の戸元側端に、戸元側端と車体４０との間に生じる隙間を封鎖するシール部材３０を設けた。【選択図】図３
2015003612.tif 000002
【特許請求の範囲】
【請求項１】
車両側面に配置され、開扉時は扉本体を車両幅方向及び車両前後方向に移動させると共に、閉扉時は扉本体を車両前後方向及び車両幅方向に移動させるアウトスライド扉のシール構造において、
前記扉本体の戸元側端に、当該戸元側端と車体との間に生じる隙間を封鎖するシール部材を設けた
ことを特徴とするアウトスライド扉のシール構造。
【請求項２】
前記シール部材は、
前記扉本体の戸元側端に固定される基部と、当該基部と一体に形成されると共に、前記基部と車体との間の隙間を封鎖する封鎖部と、を含む
請求項１に記載のアウトスライド扉のシール構造。
【請求項３】
前記基部は中空部を有すると共に、当該中空部内に少なくとも開閉動作時の衝突及び挟み込みを検知するためのセンサが内設された
請求項２に記載のアウトスライド扉のシール構造。
【発明の詳細な説明】
【技術分野】
【０００１】
本発明は、アウトスライド扉のシール構造に関する。
【背景技術】
【０００２】
車両側面に形成された乗降口に配置される開閉扉として、一対の扉を車幅方向外側に張り出させた後、車両前後方向にそれぞれスライドさせて開扉するアウトスライド扉が知られている（例えば、特許文献１参照）。
【０００３】
このようなアウトスライド扉によれば、戸袋を必要としないため、車室における収納スペースを最小にし、且つ立席スペースを拡大することができる。
【先行技術文献】
【特許文献】
【０００４】
【特許文献１】特開２０１０−１２６８９１号公報
【発明の概要】
【発明が解決しようとする課題】
【０００５】
ところで、一般的なアウトスライド扉においては、図４に示すように、一対の扉本体１００の戸先側には、シール部材１１０がそれぞれ設けられている。また、シール部材１１０の内部には、開閉動作時の衝突や挟み込みを検知するためのセンサスイッチ１２０が内設されている。
【０００６】
一方、扉本体１００の戸元側には、開閉動作時の衝突や挟み込みを検知するためのセンサスイッチ等は設けられていない。また、開閉動作時の抵抗を低減するために、扉本体１００の戸元側と車体１４０との間には所定のクリアランスが確保されている。しかしながら、このクリアランスは、外観を悪化させる他、風切り等の騒音を生じさせる要因となっている。
【０００７】
本発明の目的は、外観品質を向上させると共に、騒音の発生を効果的に抑止することができるアウトスライド扉のシール構造を提供することにある。
【課題を解決するための手段】
【０００８】
上述の目的を達成するため、本発明のアウトスライド扉のシール構造は、車両側面に配置され、開扉時は扉本体を車両幅方向及び車両前後方向に移動させると共に、閉扉時は扉本体を車両前後方向及び車両幅方向に移動させるアウトスライド扉のシール構造において、前記扉本体の戸元側端に、当該戸元側端と車体との間に生じる隙間を封鎖するシール部材を設けたことを特徴とする。
【０００９】
また、前記シール部材は、前記扉本体の戸元側端に固定される基部と、当該基部と一体に形成されると共に、前記基部と車体との間の隙間を封鎖する封鎖部と、を含むものであってもよい。
【００１０】
また、前記基部は中空部を有すると共に、当該中空部内に少なくとも開閉動作時の衝突及び挟み込みを検知するためのセンサが内設されてもよい。
【発明の効果】
【００１１】
本発明のアウトスライド扉のシール構造によれば、外観品質を向上させると共に、騒音の発生を効果的に抑止することができる。
【図面の簡単な説明】
【００１２】
【図１】本発明の一実施形態に係るアウトスライド扉を示す模式的な斜視図である。
【図２】本発明の一実施形態に係るアウトスライド扉において、扉本体の開閉動作を説明する模式的な平面図である。
【図３】本発明の一実施形態に係るアウトスライド扉のシール構造を示す模式的な部分断面図である。
【図４】従来のアウトスライド扉を示す模式的な平面図である。
【発明を実施するための形態】
【００１３】
以下、添付図面に基づいて、本発明の一実施形態に係るアウトスライド扉のシール構造を説明する。同一の部品には同一の符号を付してあり、それらの名称および機能も同じである。したがって、それらについての詳細な説明は繰返さない。
【００１４】
まず、図１，２に基づいて、本実施形態のシール構造が適用されるアウトスライド扉１０の全体構成から説明する。本実施形態のアウトスライド扉１０は、例えば、バス等の車両側面に形成された乗降口５０に配置されるものである。なお、図１中において、アウトスライド扉１０は前輪と後輪との間に配置される中扉として示されているが、例えば前扉や後扉であってもよい。
【００１５】
アウトスライド扉１０は、乗降口５０を開閉可能な一対の扉本体１１を備えて構成されている。より詳しくは、図２に示すように、扉本体１１の車室側には、車両前後方向に延在するガイドレール１２が設けられると共に、このガイドレール１２には、ガイド溝に沿って移動可能なローラ１３が配置されている。ローラ１３は、アーム１４の先端部に回転自在に軸支されると共に、アーム１４の基端部は、車体４０に回動可能に支持されている。
【００１６】
すなわち、開扉動作時は、アーム１４が回動して扉本体１１を車幅方向外側に移動させた後、ローラ１３がガイドレール１２に沿って移動して扉本体１１を車両前後方向にスライドさせる。一方、閉扉動作時は、ローラ１３がガイドレール１２に沿って移動して扉本体１１を車両前後方向にスライドさせた後、アーム１４が回動して扉本体１１を車幅方向内側に移動させるように構成されている。
【００１７】
次に、図３に基づいて、本実施形態のシール構造の詳細構成を説明する。扉本体１１の戸先側には、例えばゴム等の弾性部材で形成された戸先側シール部材２０がそれぞれ設けられている。戸先側シール部材２０は、先端側を略円弧状に突出させると共に、基端側を扉本体１１の戸先側端部に固定されている。また、戸先側シール部材２０には、上下方向に延びる中空部２０Ａが形成されている。この中空部２０Ａ内には、開閉動作時の衝突や挟み込みを検知するためのセンサスイッチＳＷが内設されている。
【００１８】
扉本体１１の戸元側には、例えばゴム等の弾性部材で形成された戸元側シール部材３０がそれぞれ設けられている。戸元側シール部材３０は、上下方向に延びる中空部３０Ａが形成された基部３１と、中空部３０Ａ内に内設されて、開閉動作時の衝突や挟み込みを検知するためのセンサスイッチＳＷと、基部３１と一体に形成された封鎖部３２とを備えている。
【００１９】
基部３１は、先端側を略円弧状に突出させると共に、基端側を扉本体１１の戸元側端部に固定されている。本実施形態において、基部３１は、基端側に形成された凸部を扉本体１１の戸元側縁部に凹設された溝と嵌合させることで固定されている。なお、基部３１の先端部と車体４０（乗降口５０の内枠）との間には、扉本体１１を閉扉した状態で所定のクリアランスが確保される。
【００２０】
封鎖部３２は、基部３１の側部から車体外側に突出すると共に、その先端部を車体４０の外壁面に当接させるように、横断面形状を略円弧状に湾曲して形成されている。すなわち、扉本体１１を閉扉した状態で、クリアランスは封鎖部３２によって完全にシールされる。これにより、アウトスライド扉１０と車体４０（乗降口５０の内枠）との間の隙間が効果的に隠されて、外観品質を向上させつつ、風切り音等の騒音を抑止することができる。
【００２１】
次に、本実施形態に係るアウトスライド扉のシール構造による作用効果を説明する。
【００２２】
従来、バス等に装着される扉は、その開閉方式として折戸式や引戸式が採用されているため、戸元側に開閉動作時の衝突や挟み込みを検知するためのセンサスイッチは設けられていない。また、一般的に、アウトスライド扉を採用する電車（例えば路面電車）では、乗客が車両に乗降する際に車体や扉本体に触れることが殆ど無いため、戸元側に衝突や挟み込みを検知するためのセンサスイッチは設けられていない。
【００２３】
これに対し、本実施形態のアウトスライド扉のシール構造は、扉本体１１の戸元側に設けられた戸元側シール部材３０内に、開閉動作時の衝突や挟み込みを検知するためのセンサスイッチＳＷが内設されている。したがって、本実施形態のアウトスライド扉のシール構造によれば、扉本体１１の開閉動作時における戸元側への挟み込みや衝突を確実に防止することができる。
【００２４】
また、従来のアウトスライド扉では、閉扉した状態で、扉本体の戸元側と車体との間にクリアランスが存在するため、外観品質を確保できない他、風切り音等の騒音も生じていた。
【００２５】
これに対し、本実施形態のアウトスライド扉のシール構造では、扉本体１１を閉扉した状態で、アウトスライド扉１０と車体４０（乗降口５０の内枠）との間のクリアランスは、戸元側シール部材３０の封鎖部３２によって完全にシールされる。したがって、本実施形態のアウトスライド扉のシール構造によれば、アウトスライド扉１０と車体４０との隙間が効果的に隠されて、外観品質を向上することができると共に、風切り音等の騒音発生を抑止することができる。
【００２６】
なお、本発明は、上述の実施形態に限定されるものではなく、本発明の趣旨を逸脱しない範囲で、適宜変形して実施することが可能である。
【００２７】
例えば、扉本体１１は二枚扉に限定されず、一枚扉であってもよい。また、戸元側シール部材３０を構成する基部３１及び封鎖部３２は、一体に形成される必要はなく、別体に形成されてもよい。また、車両はバスに限定されず、アウトスライド扉を適用可能であれば、他の車両（例えば電車等）であってもよい。これら何れの場合も上述の実施形態と同様の作用効果を奏することができる。
【符号の説明】
【００２８】
１０  アウトスライド扉
１１  扉本体
１２  ガイドレール
１３  ローラ
１４  アーム
２０  戸先側シール部材
３０  戸元側シール部材
３０Ａ  中空部
３１  基部
３２  封鎖部
４０  車体
５０  乗降口
ＳＷ  センサスイッチ
【図１】
2015003612.tif 000003
【図２】
2015003612.tif 000004
【図３】
2015003612.tif 000005
【図４】
2015003612.tif 000006